(57)【要約】【課題】原稿画像の内容に応じて、原稿画像に整合させた位置に最適なスタンプ画像を合成して出力できるようにする。【解決手段】画像処理装置１００は、記録媒体に記録された原稿画像を読み取る画像読取部１０１と、読み取った原稿画像から特定の種類の画像を認識する特定画像認識部１１１と、特定画像認識部１１１が特定画像を認識したときに、所定のスタンプ画像を原稿画像に付加するスタンプ画像付加部１０４とを備えている。そしてスタンプ画像付加部１０４は、特定画像認識部１１１が認識した特定画像の近傍に、もしくは特定画像に置換してスタンプ画像を付加する。特定画像としては、所定の記号，図形，及びデザイン、あるいは手書き文字、または手書き記号などを設定することができる。【選択図】図１
2008011303.tif 000002
【特許請求の範囲】
【請求項１】
記録媒体に記録された原稿画像を読み取る画像読取部と、
該画像読取部で読み取った原稿画像から、予め定められた特定の種類の画像を認識する特定画像認識部と、
該特定画像認識部が特定画像を認識したときに、予め定められたスタンプ画像を前記原稿画像に付加するスタンプ画像付加部と、を備えたことを特徴とする画像処理装置。
【請求項２】
請求項１に記載の画像処理装置において、前記スタンプ画像付加部は、前記特定画像認識部が認識した特定画像の近傍に、前記スタンプ画像を付加することを特徴とする画像処理装置。
【請求項３】
請求項１に記載の画像処理装置において、前記スタンプ画像付加部は、前記特定画像認識部が認識した特定画像を前記スタンプ画像に置換することを特徴とする画像処理装置。
【請求項４】
請求項１ないし３のいずれか１に記載の画像処理装置において、前記特定画像認識部が認識する特定画像は、所定の記号、図形、及びデザインのいずれかを示す画像であることを特徴とする画像処理装置。
【請求項５】
請求項１ないし３のいずれか１に記載の画像処理装置において、前記特定画像認識部が認識する特定画像は、手書き文字、または手書き記号を示す画像であることを特徴とする画像処理装置。
【請求項６】
請求項１ないし５のいずれか１に記載の画像処理装置において、前記原稿画像に付加するスタンプ画像は、可変設定可能であることを特徴とする画像処理装置。
【請求項７】
請求項１ないし６のいずれか１に記載の画像処理装置において、前記スタンプ画像として、複数の画像を組み合わせ可能としたことを特徴とする画像処理装置。
【請求項８】
請求項１ないし７のいずれか１に記載の画像処理装置において、前記スタンプ画像を付与する原稿画像は、印刷、保存、若しくは送信用の画像であることを特徴とする画像処理装置。
【請求項９】
請求項１ないし８のいずれか１に記載の画像処理装置において、該画像処理装置は、複写装置、またはファクシミリ装置、または複写装置とファクシミリ装置が組み合わされてなる装置であることを特徴とする画像処理装置。
【発明の詳細な説明】
【技術分野】
【０００１】
本発明は、画像処理装置、より詳細には、複写元に記録されている特定画像を読み取って印刷出力するときに、その特定画像に応じたスタンプ画像を印刷するスタンプ機能付きの画像処理装置に関する。
【背景技術】
【０００２】
複写機には、読み取った原稿画像を印刷して出力するときに、特定の画像を付加して印刷する所謂スタンプ機能を備えたものがある。スタンプ機能は、例えば、原稿画像を印刷するときに、原稿画像の内容に応じて「仮発行」、「重要」、「極秘」などの特定のスタンプ画像を印刷できるようにしたものである。この場合、読み取った原稿画像に対して、上記のようなスタンプ画像を合成し、印刷画像として出力している。
【０００３】
このようなスタンプ機能に関する技術として、例えば、特許文献１には、原稿画像を印刷するとき、原稿画像と共にページ番号、日付、スタンプ等の他の画像を印刷し且つそれらをユーザが指示した色で印刷できるようにした画像形成装置が開示されている。
【０００４】
特許文献１の画像形成装置は、他の画像をページ単位で記憶する第１メモリと、原稿画像と原稿画像の色と他の画像の印字に使用する色を記憶する第２メモリとを備える。そしてメインコントローラは、第２メモリに記憶された画像をページ単位で読み出し、読み出した原稿画像に第１メモリに記憶した他の画像を印字し、第２メモリの原稿画像の色と他の画像の印字に使用する色からユーザが指定する色を取得し、プリンタ制御部に渡して原稿画像に印字された他の画像に付与する。
【特許文献１】特開２００３−２７４１３３号公報
【発明の開示】
【発明が解決しようとする課題】
【０００５】
上記のような複写機のスタンプ機能は、複写された原稿画像の状態やその発行元を示す情報として活用されている。
しかしながら、スタンプ機能は、上記のような「仮発行」、「重要」、「極秘」など、特定のスタンプ用の文字を印刷することによって、特定の用途に使用することを前提として設定されたものである。通常は、記録紙の所定の位置（例えば記録紙の左上や右上）に特定のスタンプ画像を印刷するものであった。
また、記録紙のランダムな位置にスタンプ画像を印刷する設定が可能であっても、原稿画像に対してスタンプ画像の印刷位置を整合させることは困難であった。
【０００６】
すなわち、従来のスタンプ機能付きの画像処理装置においては、原稿画像の内容からスタンプ画像の付与の有無を判断し、スタンプ印刷を行う場合にスタンプ画像を原稿画像に整合させて最適な位置にスタンプ印刷を行うことはできなかった。
上記特許文献１にも、上記のような原稿画像に応じたスタンプ画像の印刷機能に関わる技術思想は開示されていない。
【０００７】
本発明は、上述のごとき実情に鑑みてなされたもので、原稿画像の内容に応じて、原稿画像に整合させた位置に最適なスタンプ画像を合成して出力できるようにした画像処理装置を提供することを目的とするものである。
【課題を解決するための手段】
【０００８】
上記課題を解決するために、本発明の第１の技術手段は、記録媒体に記録された原稿画像を読み取る画像読取部と、画像読取部で読み取った原稿画像から、予め定められた特定の種類の画像を認識する特定画像認識部と、特定画像認識部が特定画像を認識したときに、予め定められたスタンプ画像を原稿画像に付加するスタンプ画像付加部と、を備えたことを特徴としたものである。
【０００９】
第２の技術手段は、第１の技術手段において、スタンプ画像付加部が、特定画像認識部が認識した特定画像の近傍に、スタンプ画像を付加することを特徴としたものである。
【００１０】
第３の技術手段は、第１の技術手段において、スタンプ画像付加部が、特定画像認識部が認識した特定画像をスタンプ画像に置換することを特徴としたものである。
【００１１】
第４の技術手段は、第１ないし第３のいずれか１の技術手段において、特定画像認識部が認識する特定画像が、所定の記号、図形、及びデザインのいずれかを示す画像であることを特徴としたものである。
【００１２】
第５の技術手段は、第１ないし第３のいずれか１の技術手段において、特定画像認識部が認識する特定画像が、手書き文字、または手書き記号を示す画像であることを特徴としたものである。
【００１３】
第６の技術手段は、第１ないし第５のいずれか１の技術手段において、原稿画像に付加するスタンプ画像が、可変設定可能であることを特徴としたものである。
【００１４】
第７の技術手段は、第１ないし第６のいずれか１の技術手段において、スタンプ画像として、複数の画像を組み合わせ可能としたことを特徴としたものである。
【００１５】
第８の技術手段は、第１ないし第７のいずれか１の技術手段において、スタンプ画像を付与する原稿画像が、印刷、保存、若しくは送信用の画像であることを特徴としたものである。
【００１６】
第９の技術手段は、第１ないし第８のいずれか１の技術手段において、画像処理装置が、複写装置、またはファクシミリ装置、または複写装置とファクシミリ装置が組み合わされてなる装置であることを特徴としたものである。
【発明の効果】
【００１７】
本発明によれば、原稿画像の内容に応じて、原稿画像に整合させた位置に最適なスタンプ画像を合成して出力できるようにした画像処理装置を提供することができる。
特に本発明では、原稿画像の読み取り時に特定画像を認識したときに、その特定画像の近傍に所定のスタンプ画像を付加して印刷することができる。これにより、スタンプ印刷を容易に行なえる上に、原稿画像とスタンプ画像の印刷位置を容易に整合させることができる。また例えば「修正」、「追加」などの異なったスタンプ画像を、原稿に応じて付加することが可能となる。
【００１８】
また特定画像を認識したときに、スタンプ画像と置換することにより、原稿画像に含まれる本来必要としない特定画像を削除することができる。
また、特定画像として所定の記号、あるいは手書き文字や手書き記号を認識させることができ、これら特定画像の近傍に、もしくは特定画像に置換してスタンプ画像を付加することができる。これにより、例えば原稿の一部に「＊」のようマークがあった場合に、スタンプ画像を付加することができ、あるいはサインや印鑑が付与された図面などにスタンプ画像を付加することができるようになる。
【００１９】
さらに本発明によれば、原稿画像に対してスタンプ画像を自動的に付加できるようにすることで、従来のような「修正」、「追加」などのスタンプをその都度押す手間を省くことができる。また、読み取った原稿画像に対してスタンプ画像を付加するため、オリジナルの原稿画像に対して「修正」、「追加」などのスタンプを付与する必要がなく、オリジナル原稿をオリジナルのまま保存することが可能となる。
【発明を実施するための最良の形態】
【００２０】
図１は、本発明による画像処理装置の機能を説明するためのブロック図である。本実施形態の画像処理装置は、コピーモード、プリンタモード、スキャナモードおよびファクシミリモードを有するデジタル複合機として機能する。
画像処理装置１００は、記録紙等に記録された原稿画像を読み取って、原稿画像の画像データを出力する画像読取部１０１と、画像データの印刷を行う画像形成部１０２と、画像データを保存する画像記憶部１０３と、画像読取部１０１で読み取った原稿画像にスタンプ画像を付加するスタンプ画像付加部１０４と、装置の制御を行うための制御プログラム記憶部１０５と、ＲＡＭ１０６と、装置全体の制御を司る制御部１０７とを備えている。制御プログラム記憶部１０５とＲＡＭ１０６は、制御部１０７の内部に保持させてマイコンを構成してもよい。
【００２１】
さらに画像処理装置１００は、各種情報を表示する表示部１０８と、ユーザの入力を受け付ける操作部１０９と、他のファクシミリ装置と通信するためのモデム部１１０と、スタンプ画像を付加するための特定画像を認識する特定画像認識部１１１と、ネットワーク（ＮＷ）を介して外部機器との通信を行うＮＷ通信部１１２と、装置全体の制御情報や設定情報等を記憶している管理部１１３とを有している。
操作部１０９としては、タッチパネルを適用することができ、液晶パネルなどによる表示部８と一体的に構成される。また操作部１０９として、キー群やボタン、タブレットなどを用いることができる。
【００２２】
画像読取部１０１は、原稿画像を入力する入力手段として機能する。ここでは例えばＣＣＤによる撮像素子によって読み取られた原稿画像の画像データが、画像形成部１０２に出力される。
画像形成部１０２は、給紙された記録紙に対して画像形成を行う。例えば画像形成部１０２は、画像データを記憶するローカルメモリと、レーザ走査ユニットからなる印字部と、画像データを暗号化・復号化するセキュリティ部を備える（いずれも図示せず）。ローカルメモリは、古い画像に新しい画像を上書きして、画像データを記憶する。印字部はローカルメモリに記憶した画像データに基づいて、給紙される記録紙に対して画像を印刷する。
【００２３】
画像形成部１０２では、入力された画像データがローカルメモリに記憶され、ローカルメモリ上で画像データの圧縮，伸張，加工等の画像処理が行われ、画像処理された画像データが印字部、画像記憶部１０３、あるいは制御部１０７に出力される。ローカルメモリは、入力された画像データを記憶するデータ領域と、出力するための画像データを記憶する出力データ領域とに分割され、あるいは２つのローカルメモリが使用される。
【００２４】
画像記憶部１０３は、処理するための画像データを保存する保存手段であって、例えばＨＤが用いられる。画像記憶部１０３に画像データが保存されるとき、必要に応じて画像データは暗号化される。
【００２５】
ＮＷ通信部１１２は、ＬＡＮケーブルを介してルータ、スイッチングハブ等に接続され、パソコン、サーバ等の情報処理装置によって形成されたネットワークと接続される。ネットワークは、電話回線網や光ファイバ等の通信回線を介してインターネットに接続される。
ＮＷ通信部１１２は、ネットワーク内の情報処理装置とデータの送受信を行うとともに、インターネットを通じて外部の情報処理装置やファクシミリ装置とデータの送受信を行う。
【００２６】
モデム部１１０は、電話線を介して電話回線網に接続され、外部のファクシミリ装置とファクシミリ通信を行う。従ってＮＷ通信部１１２やモデム部１１０を通じて画像データが入力されるので、これらも入力手段として機能する。
【００２７】
制御部１０７は、操作部１０９からの入力や外部機器からのデータ入力があると、管理部１１３に記憶されている情報に基づいて各部を制御して、入力された画像データを処理する。すなわち、入力された画像データに対してコピーモード、プリンタモード、スキャナモード、ファクシミリモードのいずれかを実行する。制御部１０７は、制御プログラム記憶部１０５に記憶されている制御プログラムを読み出し、ＲＡＭ１０６をその実行領域として使用することで各種制御を実行することができる。
【００２８】
次に、各モードを実行するときの動作を説明する。
まず、コピーモード時には、画像読取部１０１により読み取られた原稿画像が、画像形成部１０２から複写物として出力される。具体的には、読取位置にセットされた原稿の画像をＣＣＤによって読み取る。ＣＣＤから出力された原稿画像の画像データは、画像形成部１０２のローカルメモリ上に出力画像として完成され、一旦画像記憶部１０３に転送されて保存される。原稿が複数ある場合は、これらの読取り動作と記憶動作が繰り返される。
【００２９】
その後、操作部１０９から指示された処理内容に基づいて、画像記憶部１０３に保存された画像データが適切なタイミングで順次読み出され、画像形成部１０２のローカルメモリに送られる。そして、画像形成部１０２の印字部への書き込みタイミングに合わせて、画像データがローカルメモリから印字部へと転送され、画像が記録紙に印刷される。
【００３０】
また、読み取った原稿画像を複数枚印刷する場合も同様に、原稿画像の画像データが、出力画像としてページ単位で画像記憶部１０３に記憶され、出力するモードに合わせて画像記憶部１０３から画像形成部１０２のローカルメモリに送られる。ローカルメモリへの画像データは、出力枚数の分だけ繰り返し、印字部への書き込みタイミングに合わせて印字部へ転送される。
【００３１】
プリンタモード時には、ＰＣ等の外部機器から出力された画像データが、画像形成部１０２から出力される。すなわち、外部機器からの画像データが、ＮＷ通信部１１２により受信される。制御部１０７は、入力された画像データを画像形成部１０２のローカルメモリに送り、出力する画像データとしてページ単位に展開し、一旦画像記憶部１０３に記憶する。そして、画像データは、画像記憶部１０３から画像形成部１０２のローカルメモリ送られ、コピーモードの場合と同様にして画像形成部１０２へ転送され、画像が印刷される。
【００３２】
スキャナモード時には、画像読取部１０１において読み取られた原稿の画像データが、ネットワークを通じて任意の外部機器にデータ通信される。すなわち、ＣＣＤから出力された画像データは、画像形成部１０２のローカルメモリ上に出力画像として完成され、一旦画像記憶部１０３に保存される。そして、画像データがローカルメモリに送られると、制御部１０７は、操作部１０９を介して指示されたネットワーク内の送信先との通信を確立させ、ＮＷ通信部１１２から目的の送信先に画像データを送信する。さらに、画像データは、ＮＷ通信部１１２によりネットワークからインターネットを通じて、外部の情報処理装置やファクシミリ装置にも送信される。また、制御部１０７は、ファクシミリモード時にも同様の動作によって、モデム部１１０から電話回線を通じて他のファクシミリ装置に画像データを送信する。
【００３３】
特定画像認識部１１１と、スタンプ画像付加部１０４は、本発明の特徴を実現する要素である。
特定画像認識部１１１は、画像読取部１０１で読み取った原稿画像から、予め定められた特定の種類の画像を認識する。そしてスタンプ画像付加部１０４では、特定画像認識部１１１が特定画像を認識したときに、予め定められたスタンプ画像を原稿画像に付加する。
スタンプ画像付加部１０４でスタンプ画像が付加された画像データは、画像形成部１０２へと出力され、スタンプ画像付きの原稿画像が記録紙等に印刷出力される。スタンプ画像を付与する原稿画像には、印刷、保存、若しくは送信用の画像を適用することができる。
【００３４】
図２は、特定画像に応じて付加するスタンプ画像の一例を説明するための図である。
スタンプ画像を付加する特定画像としては、予め定めた特定の記号，図形，デザインなどを示す画像を用いることができる。例えば“＊”や“※”などの記号や、△や□などの図形、印章や社章や国旗などのデザインを予め定めておくことができる。
【００３５】
特定画像認識部１１１では、画像読取部１０１が読み取った原稿画像の中に含まれる特定画像を認識する。特定画像の認識技術としては、従来公知の技術を適宜適用することができる。例えば、モデルを利用したパターン認識や、モデルを用いない特性識別等の画像処理技術を用いることができる。
例えばパターン認識では、入力画像データからその特徴を取り出し、標準的なパターンとして比較して特定画像を判別する。一般にパターン認識により、数字や文字の形状認識、画像認識、手書き図面の読み取りなどが可能である。ここではアナログデータのデジタル化、特徴の抽出、照合という手順で処理される。
【００３６】
図２の例では、特定画像として印章を予め定めおくもとする。そして特定画像認識部１１１は、図２（Ａ）に示す原稿画像の中に印章による特定画像２００があるものと認識した場合、その情報を制御部１０７に送る。
制御部１０７は、制御プログラム記憶部１０５に記憶した制御プログラムに従って、画像形成部１０２で一時的に保管している原稿画像に対して、その特定画像２００の近傍に予め定めたスタンプ画像２１０を付加する。ここでは、図２（Ｂ）に示すように、特定の位置に印章があった場合には、“社外秘”というスタンプ画像２１０を付加するものとする。スタンプ画像２１０が付加された原稿画像は、画像形成部１０２で印刷出力される。
【００３７】
特定画像２００に対するスタンプ画像２１０の内容は、ユーザ設定が可能であり、また特定画像２００に対するスタンプ画像２１０の付加位置は、特定画像２００の上下・左右の任意の位置を予め設定しておくことができる。また特定画像２００の近傍の他、特定画像２００の位置に関わりなく、記録紙の上下左右の端部等、記録紙のいずれか任意の位置にスタンプ画像２１０を付加するように設定できるようにしてもよい。
図２の例の場合は、特定画像２００の上方近傍にスタンプ画像２１０を付加するように設定されている。
【００３８】
図３は、特定画像に応じて付加するスタンプ画像の他の例を説明するための図である。
スタンプ画像を付加する特定画像としては、手書き文字または手書き記号を用いることができる。
特定画像認識部１１１では、画像読取部１０１が読み取った原稿画像の中に含まれる手書き文字や手書き記号の特定画像を認識する。この場合にも、特定画像認識部１１１における手書き文字や記号の認識は、従来公知の技術を適用することができ、パターン認識あるいは特性識別等を用いることができる。例えば、パターン認識により画像認識を行うときに、画像の認識率が所定値より低い画像については、手書き画像であると判断することができる。
【００３９】
特定画像認識部１１１は、図３（Ａ）に示す原稿画像の中に手書きによる特定画像２００があるものと認識した場合、その情報を制御部１０７に送る。
制御部１０７は、制御プログラム記憶部１０５に記憶した制御プログラムに従って、画像形成部１０２で一時的に保管している原稿画像に対して、その特定画像２００の近傍に予め定めたスタンプ画像２１０を付加する。ここでは、図３（Ｂ）に示すように、特定の位置に手書き文字または記号があった場合には、“変更”というスタンプ画像２１０を付加するものとする。スタンプ画像２１０が付加された原稿画像は、画像形成部１０２で印刷出力される。
【００４０】
図３の例の場合、特定画像２００は、“変更”という文字が入った文字表示部２１１と、特定画像２００の方向を指す矢印部２１２からなっている。
これら文字表示部２１１の内容は、ユーザ設定が可能であり、さらに矢印部２１２の表示の有無と、その表示方向はそれぞれユーザ設定が可能である。例えば、特定画像２００の右側近傍にスタンプ画像２１０を付加する場合に、矢印部２１２を自動的に左側に向くように設定することができる。
【００４１】
また特定画像２００の近傍位置の他、特定画像２００の位置に関わりなく、記録紙の上下左右の端部等、記録紙のいずれか任意の位置にスタンプ画像２１０を付加するように設定できるようにしてもよい。
図２の例の場合は、特定画像２００の右側近傍にスタンプ画像２１０を付加するように設定されている。
【００４２】
図４は、特定画像に応じて付加するスタンプ画像の他の例を説明するための図である。
認識された特定画像２００に応じてスタンプ画像２１０を付加する場合、上記図２及び図３の例のように、特定画像２００の近傍にスタンプ画像２１０を付加するのみならず、特定画像２００に置換してスタンプ画像２１０を付加するように設定することもできる。
【００４３】
ここでは、スタンプ画像を付加する特定画像２００として、 記号“＊”を定めておくものとする。そして特定画像認識部１１１では、画像読取部１０１が読み取った原稿画像の中に含まれる特定画像２００を認識し、その情報を制御部１０７に送る。
制御部１０７は、制御プログラム記憶部１０５に記憶した制御プログラムに従って、画像形成部１０２で一時的に保管している原稿画像に対して、その特定画像２００を所定のスタンプ画像２１０に置換して付加する。
【００４４】
ここでは、図４（Ｂ）に示すように、特定の位置に記号“＊”があった場合には、“修正”というスタンプ画像２１０を付加するものとする。スタンプ画像２１０が付加された原稿画像は、画像形成部１０２で印刷出力される。
【００４５】
図４の例の場合にも、特定画像２００は、“変更”という文字が入った文字表示部２１１と、特定画像２００の方向を指す矢印部２１２からなっている。これら文字表示部２１１の内容、矢印部２１２の表示の有無、及びその矢印の表示方向は、それぞれユーザ設定が可能である。また特定画像２００の近傍位置の他、特定画像２００の位置に関わりなく、記録紙の上下左右の端部等、記録紙のいずれか任意の位置にスタンプ画像２１０を付加するように設定できるようにしてもよい。
【００４６】
上述のような特定画像２００に対するスタンプ画像２１０の置換処理は、図４に示すような特定の記号のみならず、特定画像として設定されている特定の記号やデザイン、あるいは手書き文字や手書き記号に対しても適用することができる。
【００４７】
次に上記のようなスタンプ機能の設定処理時の操作手順を、デジタル複合機の操作部の画面例を参照しながら説明する。
図５は、本発明による画像処理装置の操作部の一例を示す図で、図１に示すデジタル複合機の操作パネルの構成例を示すものである。操作部パネル１２０は、図１の表示部１０８及び操作部１０９に相当するもので、タッチパネルによる入力操作が可能となっている。
【００４８】
操作パネル１２０には、スタートキー１２１ａ及びクリア（全解除）キー１２１ｂによる主キー１２１が設けられている。またこれらの他に、テンキー１２２、プリンタキー１２３、ファックス／イメージ送信キー１２４、コピーキー１２５、ジョブ状況キー１２６、ユーザ設定キー１２７、及びタッチパネル１２８が設けられている。
【００４９】
プリンタキー１２３、ファックス／イメージ送信キー１２４、コピーキー１２５、ジョブ状況キー１２６は、タッチパネル１２８上に、これら各キーに該当するＧＵＩ（グラフィカルユーザインターフェース）を表示させるためのキーである。
【００５０】
プリンタキー１２３により、タッチパネル１２８の表示をプリントモード画面に切り替えることができる。プリントモードは、画像記憶部１０３などに保存した原稿画像データを、必要に応じて呼び出して印刷などの再操作を行うためのモードである。
またファックス／イメージ送信キー１２４により、ネットワースキャナやファックスモードの画面をタッチパネル１２８に表示させることができる。
【００５１】
コピーキー１２５により、コピーモードの画面をタッチパネル１２８に表示させることができる。またジョブ状況キー１２６により、現在のジョブ状況をタッチパネル１２８に表示させることができる。ジョブ状況として、例えば、予約・実行中または処理が完了したジョブのリストを表示させることができる。この画面でジョブの内容を確認したり、予約中の印刷順位を移動したり、特定のジョブを中止させることができる。
【００５２】
ユーザ設定キー１２７は、タッチパネル１２８の表示画面をユーザ設定画面へ移行させるためのキーである。ユーザ設定画面では、ドキュメントファイリングのユーザ名やフォルダ名の登録・修正・削除、あるいはキーオペレータプログラムやプリンタ環境設定などを行うことができる。
【００５３】
図５は、コピーモード時のタッチパネル１２８の基本画面例を示している。コピーモードの基本画面では、コピー濃度の表示・設定を行うためのコピー濃度キー１２８ａ、用紙選択の表示・設定を行うための用紙キー１２８ｂ、コピー倍率の表示・設定を行うための倍率キー１２８ｃが表示される。
さらにこの基本画面では、とじしろ設定や枠消去、大量原稿モード、タンデムコピー等の特別機能を設定するための特別機能キー１２８ｄ、片面／両面コピーを設定するための両面コピーキー１２８ｅ、画像データをアウトプットするためのアウトプットキー１２８ｆ等が表示される。
【００５４】
図６は、スタンプ機能の設定画面に入るための認証入力画面例を示す図である。
スタンプ機能は、装置のサービスマンや管理者等、特定の設定権限をもつキーオペレータのみにより設定可能とする。
この場合、まず図５に示すユーザ設定キー１２７を押すと、図６（Ａ）に示すようなユーザ設定画面１３０が表示される。ユーザ設定画面１３０には、総使用枚数表示１３１、画面コントラスト１３２、データリストプリント１３３、日付・時刻設定１３４、給紙トレイ設定１３５、相手先登録１３６、等の設定項目キーが表示され、これら設定項目キーに従って、各項目に従う設定を行うことができる。
【００５５】
ユーザ設定画面１３０には、さらにキーオペレータプログラムキー１３７が設けられ、これを押すと、図６（Ｂ）に示すようなキーオペレータコード入力画面１４０が表示される。そして、キーオペレータが、キーオペレータコード入力部１４１に対して所定のコードを入力する（図６（Ｃ））。
【００５６】
図７は、キーオペレータプログラムのメニュー画面例を示す図である。
図６（Ｃ）のキーオペレータコード入力画面で入力されたコードが認証されると、図７に示すような、キーオペレータプログラムのメニュー画面１５０が表示される。
キーオペレータプログラムのメニュー画面１５０には、部門別の枚数集計や使用枚数制限などを設定するための部門管理キー１５１、セーブモードなどの省エネルギー設定を行うための省エネルギー設定キー１５２、キータッチ音やオートクリアモード等の操作に関わる設定を行うための操作設定キー１５３、周辺装置の使用禁止等を設定するためのデバイス設定キー１５４、各種システム管理用の設定を行うためのシステム管理設定キー１５５が設けられる。
【００５７】
さらにキーオペレータプログラムのメニュー画面１５０には、コピーモード時の濃度や倍率等、各種のコピー条件を設定するためのコピー設定キー１５６、ファクス送信や画像（イメージ）送信時の各種条件設定を行うためのファックス／イメージ送信設定キー１５７、キーオペレータだけが印刷できるリストやレポートの印刷を行うためのリスト／レポートプリントキー１５８、キーオペレータコードや登録番号を変更するためのキーオペレータコード変更キー１５９、プロダクトキー（暗証番号）の入力操作を行うためのプロダクトキー入力キー１６０、及び本発明に関わるスタンプ設定キー１６１が設けられている。
【００５８】
図８は、スタンプ機能の設定画面例を示す図である。図７のキーオペレータコード入力画面において、スタンプ設定キー１６１を押すと、図８に示すようなスタンプ機能設定画面１７０に移行する。
スタンプ機能設定画面１７０には、特定記号を設定するためのチェックボックス１７１と、手書き文字を設定するためのチェックボックス１７３が設定されている。ユーザは、これらのいずれかをチェックすることにより、原稿画像に対して付加するスタンプ画像の種類を指定することができる。
【００５９】
この場合、特定記号には、特定の記号、図形、デザインなどを含ませることができる。また手書き文字には、手書きの記号も含ませることができる。
あるいはチェックボックスの設定を、これら特定の記号、図形、デザイン、手書き文字、手書き記号についてそれぞれ個別に設定してもよい。
【００６０】
特定記号に対しては、さらに特定記号を具体的に指定するためのボックス１７２が設定されている。このボックス１７２は、カーソルでポイントすることによりプルダウン方式のメニューが表示され、そのメニューのなかから、任意の記号を特定画像として指定することができる。
【００６１】
図９は、スタンプ機能の詳細設定画面例を示す図である。図８において、詳細設定ボタン１７４を押すことにより、図９に示すような詳細設定画面１８０に移行する。
詳細設定画面１８０には、スタンプ画像２１０の付加方法を設定するチェックボックス１８１と、スタンプ画像２１０の付加位置を設定するチェックボックス１８２と、スタンプ画像に矢印を表示するか否かを設定するチェックボックス１８３が設定される。
【００６２】
スタンプ画像２１０の付加方法を設定するチェックボックス１８１では、スタンプ画像２００の付加位置として、“特定画像の近傍”、“記録紙の端部”、及び“特定画像に置換”のいずれかを選択することができる。
またスタンプ画像２１０の付加位置を設定するチェックボックス１８２では、上記チェックボックスで設定したスタンプ画像２１０の付加位置を設定することができる。
【００６３】
例えば、スタンプ画像の付加方法として“特定画像の近傍”を選択し、スタンプ画像の付加位置として“右側”を選択した場合、所定のスタンプ画像２１０を特定画像２００の右側に付加させる。
またスタンプ画像の付加方法として、“記録紙の端部”を選択し、スタンプ画像の付加位置として“右側”を選択した場合には、記録紙の右側端部にスタンプ画像を付加させる。
またスタンプ画像の付加方法として“特定画像に置換”を選択した場合は、スタンプ画像の付加位置設定を無効とすることができる。
【００６４】
また、詳細設定画面１８０には、スタンプ画像２１０を具体的に指定するためのボックス１８４が設定されている。ボックス１８４は、カーソルでポイントすることによりプルダウン方式のメニューが表示され、そのメニューのなかから、任意の内容をスタンプ画像２１０として指定することができる。図９の例では、スタンプ画像として“変更”が指定されている。
【００６５】
さらに詳細設定画面１８０には、スタンプ画像２１０において矢印を表示するか否かを設定するためのチェックボックス１８３が設定される。このチェックボックスの選択に従って、スタンプ画像２１０に矢印の表示／非表示を行う。図９の例では、“矢印有”が設定されている。
このときの詳細設定画面１８０における設定に従うスタンプ画像２１０の表示例１８５が、詳細設定画面１８０に表示されている。
【００６６】
図１０は、本発明に関わる画像処理装置における処理の一例を説明するためのフローチャートである。
まず、ユーザによって原稿に特定画像が付与される（ステップＳ１）。この場合、例えば、オリジナル原稿に対して、手書きにて修正や追記を行う。このときに、画像処理装置には、特定画像として手書き文字／記号が設定されているものとする。
【００６７】
そしてユーザによって画像処理装置に原稿をセットする（ステップＳ２）。そしてスタンプ画像を付加する設定になっている場合（ステップＳ３−ＹＥＳ）、原稿をスキャンして（ステップＳ４）、原稿画像に特定画像（例えば手書き文字）があるかどうかを判別する（ステップＳ５）。
原稿画像に特定画像がある場合、スタンプ画像の設定に従って原稿画像にスタンプ画像を付加して（ステップＳ６）、印刷する（ステップＳ７）。
【００６８】
また上記ステップＳ３でスタンプ画像を付加しない設定となっている場合は、そのまま原稿をスキャンして（ステップＳ８）、印刷する（ステップＳ７）。
また上記ステップＳ５で、原稿画像に特定画像がない場合にも、そのまま印刷を行う（ステップＳ７）。
【００６９】
次に、本発明の画像処理装置が適用可能なデジタル複合機の具体的な構成例を説明する。
図１１はデジタル複合機の斜視概略図で、図１２はデジタル複合機の内部構成を示す図である。
デジタル複合機１は、複写モード、ファクシミリモード、及びプリンタモードを選択的に実行することができる。複写モードでは、原稿の画像を読み取って記録紙に印刷する。またファクシミリモードでは、原稿の画像を読み取ってファクシミリ送信したり、原稿の画像を受信して記録紙に印刷したりすることができる。またプリンタモードでは、情報端末装置からネットワークを通じて受信した画像を記録紙に印刷することができる。
【００７０】
デジタル複合機１は、その構成を大別すると、画像読取部２、画像形成部３、給紙部４、排紙処理装置５、及びＵＳＢインターフェイス７を備えている。
以下に複写モードを例に挙げて、デジタル複合機１の動作を説明する。
まず、原稿が画像読取部２の原稿セットトレイ１１にセットされると、原稿検知センサ１２は、原稿がセットされたことを検出する。そしてユーザが、画像読取部２の操作パネル１２０を操作することにより、印刷用紙のサイズ及び変倍率等を入力設定し、複写の開始を指示する。
【００７１】
画像読取部２では、上記の操作に応答して、ピックアップローラ１３により原稿セットトレイ１１上の各原稿を１枚ずつ引き出し、サバキ板１４と搬送ローラ１５間からプラテンガラス１６へ原稿を送り出す。そして原稿をプラテンガラス１６上で副走査方向に搬送して、原稿排出トレイ１７へと排出する。原稿排出トレイ１７上の原稿の有無は、原稿排出トレイセンサ２５により検出される。
【００７２】
このとき、第１読取部２１によって、原稿の表面（下側面）を読み取る。ここでは、第１読取部２１の第１走査ユニット２３を、所定のポジションに移動して位置決めし、第２走査ユニット２４を所定位置に位置決めしておく。そして第１走査ユニット２３の露光ランプにより、プラテンガラス１６を介して原稿画像の表面に光を照射し、原稿の反射光を第１及び第２走査ユニット２３，２４の各反射ミラーにより結像レンズ２６へと導く。そしてさらに、原稿の反射光を結像レンズ２６によりＣＣＤ（Charge  Coupled  Device）２７に集光させ、原稿の表面の画像をＣＣＤ２７上に結像させる。これにより原稿の表面の画像を読み取ることができる。
【００７３】
原稿の裏面（上面側）の画像は、第２読取部２２によって読み取る。第２読取部２２は、プラテンガラス１６の上方に配置され、原稿の裏面を照射する露光ランプ（ＬＥＤ（Light Emitting Diode）アレイ、蛍光灯等）と、画素毎に原稿の反射光を集光するセルフォックレンズアレイと、セルフォックレンズアレイを通じて受光した原稿の反射光を光電変換して、アナログの画像信号を出力する密着イメージセンサ（CIS；Contact Image Sensor）等とを備えている。
【００７４】
更に、画像読取部２の上部筐体を開いて、プラテンガラス１６上に原稿を載せることにより、第１読取部２１で原稿の表面を読み取ることができる。この場合、第１及び第２走査ユニット２３，２４を相互に所定の速度関係を維持しつつ副走査方向に移動させ、第１走査ユニット２３によってプラテンガラス１６上の原稿を露光する。
そして第１及び第２走査ユニット２３，２４によって原稿からの反射光を結像レンズ２６へと導き、結像レンズ２６によって原稿の画像をＣＣＤ２７上に結像させる。
【００７５】
こうして片面もしくは両面の原稿画像が読み取られると、片面もしくは両面の原稿画像を示す画像データが、マイクロコンピュータ等の制御部に入力され、画像データに各種の画像処理が施されて、画像形成部３へと出力される。
【００７６】
画像形成部３は、画像データによって示される原稿の画像を記録紙に印刷するものであって、感光体ドラム３１、帯電装置３２、レーザスキャンユニット（以下ＬＳＵと称する）３３、現像装置３４、転写装置３５、クリーニング装置３６、及び定着装置３７等を備えている。また図示しない除電装置が設けられる。
【００７７】
また、画像形成部３には、主搬送路３８及び反転搬送路３９が設けられており、給紙部４から給紙されてきた記録紙が、主搬送路３８に沿って搬送される。給紙部４は、用紙カセット４１に収納された記録紙、または手差トレイ４２に載置された記録紙を１枚ずつ引き出して、記録紙を画像形成部３の主搬送路３８へと送り出す。
【００７８】
そして主搬送路３８に沿って記録紙が搬送されている途中で、記録紙が感光体ドラム３１と転写装置３５との間を通過し、更に定着装置３７を通過して、記録紙に対する印刷が行われる。感光体ドラム３１は、一方向に回転しており、その表面をクリーニング装置３６と除電装置によりクリーニングされてから、帯電装置３２により均一に帯電される。
【００７９】
レーザスキャンユニット３３は、画像読取部２からの画像データに基づいてレーザ光を変調し、感光体ドラム３１表面を主走査方向に繰り返し走査して、感光体ドラム３１表面に静電潜像を形成する。現像装置３４は、感光体ドラム３１表面にトナーを供給して静電潜像を現像し、トナー像を感光体ドラム３１表面に形成する。転写装置３５は、転写装置３５と感光体ドラム３１間を通過して行く記録紙に、感光体ドラム３１表面のトナー像を転写する。定着装置３７は、記録紙を加熱及び加圧して、記録紙上のトナー像を定着させる。
【００８０】
主搬送路３８と反転搬送路３９の接続位置には、分岐爪４３が配設されている。記録紙の片面だけに印刷を行う場合は、分岐爪４３が位置決めされ、この分岐爪４３により定着装置３７からの記録紙が排紙トレイ４４または排紙処理装置５へと導かれる。
また、記録紙の両面に印刷を行う場合は、分岐爪４３が点線で示す位置に回転移動され、記録紙が反転搬送路３９の方へと導かれる。そして記録紙は、反転搬送路３９を通過して、その表裏が反転されて主搬送路３８へと再び搬送される。そして主搬送路３８の再度の搬送途中で、その裏面への印刷が行われて、排紙トレイ４４または排紙処理装置５へと導かれる。
【００８１】
こうして印刷された記録紙は、排紙トレイ４４または排紙処理装置５へと導かれて、排紙トレイ４４、もしくは排紙処理装置５の各排紙トレイ５ａのいずれかに排出される。
排紙処理装置５では、複数の記録紙を各排紙トレイ５ａに仕分けして排出したり、各記録紙にパンチング処理を施したり、各記録紙にステープル処理を施すことができる。例えば、複数部の印刷物を作成する場合は、各排紙トレイ５ａに印刷物が一部ずつ割り当てられるように、各記録紙を各排紙トレイ５ａに仕分けして排出する。また排紙トレイ５ａ毎に、排紙トレイ５ａ上の各記録紙にパンチング処理やステープル処理を施して、印刷物を作成する。
【図面の簡単な説明】
【００８２】
【図１】本発明による画像処理装置の機能を説明するためのブロック図である。
【図２】特定画像に応じて付加するスタンプ画像の一例を説明するための図である。
【図３】特定画像に応じて付加するスタンプ画像の他の例を説明するための図である。
【図４】特定画像に応じて付加するスタンプ画像の他の例を説明するための図である。
【図５】本発明による画像処理装置の操作部の一例を示す図で、図１に示すデジタル複合機の操作パネルの構成例を示すものである。
【図６】スタンプ機能の設定画面に入るための認証入力画面例を示す図である。
【図７】キーオペレータプログラムのメニュー画面例を示す図である。
【図８】スタンプ機能の設定画面例を示す図である。
【図９】スタンプ機能の詳細設定画面例を示す図である。
【図１０】本発明に関わる画像処理装置における処理の一例を説明するためのフローチャートである。
【図１１】デジタル複合機の斜視概略図である。
【図１２】デジタル複合機の内部構成を示す図である。
【符号の説明】
【００８３】
１…デジタル複合機、２…画像読取部、３…画像形成部、４…給紙部、５…排紙処理装置、５ａ…排紙トレイ、７…ＵＳＢインターフェイス、８…表示部、１１…原稿セットトレイ、１２…原稿検知センサ、１３…ピックアップローラ、１４…サバキ板、１５…搬送ローラ、１６…プラテンガラス、１７…原稿排出トレイ、２１…第１読取部、２２…第２読取部、２３，２４…走査ユニット、２５…原稿排出トレイセンサ、２６…結像レンズ、２７…ＣＣＤ、３０…ユーザ設定画面、３１…感光体ドラム、３２…帯電装置、３３…レーザスキャンユニット、３４…現像装置、３５…転写装置、３６…クリーニング装置、３７…定着装置、３８…主搬送路、３９…反転搬送路、４１…用紙カセット、４２…手差トレイ、４３…分岐爪、４４…排紙トレイ、１００…画像処理装置、１０１…画像読取部、１０２…画像形成部、１０３…画像記憶部、１０４…スタンプ画像付加部、１０５…制御プログラム記憶部、１０６…ＲＡＭ、１０７…制御部、１０８…表示部、１０９…操作部、１１０…モデム部、１１１…特定画像認識部、１１２…ＮＷ通信部、１１３…管理部、１２０…操作パネル、１２１…主キー、１２１ａ…スタートキー、１２１ｂ…クリア（全解除）キー、１２２…テンキー、１２３…プリンタキー、１２４…ファックス／イメージ送信キー、１２５…コピーキー、１２６…ジョブ状況キー、１２７…ユーザ設定キー、１２８…タッチパネル、１２８ａ…コピー濃度キー、１２８ｂ…用紙キー、１２８ｃ…倍率キー、１２８ｄ…特別機能キー、１２８ｅ…両面コピーキー、１２８ｆ…アウトプットキー、１３０…ユーザ設定画面、１３１…総使用枚数表示、１３２…画面コントラスト、１３３…データリストプリント、１３４…日付・時刻設定、１３５…給紙トレイ設定、１３６…相手先登録、１３７…キーオペレータプログラムキー、１４０…キーオペレータコード入力画面、１４１…キーオペレータコード入力部、１５０…メニュー画面、１５１…部門管理キー、１５２…省エネルギー設定キー、１５３…操作設定キー、１５４…デバイス設定キー、１５５…システム管理設定キー、１５６…コピー設定キー、１５７…ファクス／イメージ送信設定キー、１５８…リスト／レポートプリントキー、１５９…キーオペレータコード変更キー、１６０…プロダクトキー入力キー、１６１…スタンプ設定キー、１７０…スタンプ機能設定画面、１７１…チェックボックス、１７２…ボックス、１７３…チェックボックス、１７４…詳細設定ボタン、１８０…詳細設定画面、１８１…チェックボックス、１８２…チェックボックス、１８３…チェックボックス、１８４…ボックス、１８５…表示例、２００…特定画像、２１０…スタンプ画像、２１１…文字表示部、２１２…矢印部。
【図１】
2008011303.tif 000003
【図２】
2008011303.tif 000004
【図３】
2008011303.tif 000005
【図４】
2008011303.tif 000006
【図５】
2008011303.tif 000007
【図６】
2008011303.tif 000008
【図７】
2008011303.tif 000009
【図８】
2008011303.tif 000010
【図９】
2008011303.tif 000011
【図１０】
2008011303.tif 000012
【図１１】
2008011303.tif 000013
【図１２】
2008011303.tif 000014